【手続補正書】
【提出日】平成16年5月28日(2004.5.28)
【手続補正１】
【補正対象書類名】明細書
【補正対象項目名】特許請求の範囲
【補正方法】変更
【補正の内容】
【特許請求の範囲】
【請求項１】
印刷装置で解釈可能なプリンタ制御コマンドを生成するプリンタドライバが動作可能な印刷制御装置における印刷制御方法において、
印刷データを、あらかじめ設定された印刷部数とともに記憶部に保存する保存工程と、
印刷の指示が試し刷りの指示か否かを判定する判定工程と、
前記印刷の指示が試し刷りの指示であったと判定した場合、前記保存工程で保存された前記印刷データの印刷部数を１部に設定する設定工程と、
前記保存工程において保存された前記印刷データを、前記設定工程において設定された印刷部数とともに前記印刷装置で印刷すべく送出する第１送出工程と、
前記第１送出工程により前記印刷データを送出後、本印刷時に前記保存工程において保存された前記印刷データを前記あらかじめ設定された印刷部数から前記設定工程において設定された１部を差し引いた印刷部数とともに前記印刷装置で印刷すべく送出する第２送出工程と
を備えることを特徴とする印刷制御方法。
【請求項２】
前記判定工程において印刷指示が試し刷りの指示でないと判定された場合、前記印刷制御装置から前記印刷装置で印刷すべく送出する前記印刷データとともに前記あらかじめ設定された印刷部数を、前記記憶部から削除する削除工程をさらに備えることを特徴とする請求項１に記載の印刷制御方法。
【請求項３】
前記保存工程により保存された印刷データは前記印刷装置で印刷すべく送出する形式に変換される以前の中間データであり、前記印刷指示が試し刷りの指示と判定された場合には、前記第１送出工程により前記印刷データを送出後、前記保存工程において保存された前記印刷データに関して、印刷設定の変更を行う変更工程をさらに備えることを特徴とする請求項１に記載の印刷制御方法。
【請求項４】
前記印刷指示が試し刷りの指示の場合には、前記第１送出工程により前記印刷データを送出後、前記保存工程において保存された前記印刷データに関して前記印刷設定の変更を行うか否かの判定をする設定変更判定工程と、
前記設定変更判定工程において前記印刷設定の変更を行うと判定した場合、あらかじめ設定された印刷部数に戻す工程をさらに備えることを特徴とする請求項１または３に記載の印刷制御方法。
【請求項５】
印刷装置で解釈可能なプリンタ制御コマンドを生成するプリンタドライバが動作可能な印刷制御装置であって、
印刷データを、あらかじめ設定された印刷部数とともに記憶部に保存する保存手段と、
印刷の指示が試し刷りの指示か否かを判定する判定手段と、
前記印刷の指示が試し刷りの指示であったと判定した場合、前記保存手段で保存された前記印刷データの印刷部数を１部に設定する設定手段と、
前記保存手段により保存された前記印刷データを、前記設定手段により設定された印刷部数とともに前記印刷装置で印刷すべく送出する第１送出手段と
前記第１送出手段により前記印刷データを送出後、本印刷時に前記保存手段により保存された前記印刷データを前記あらかじめ設定された印刷部数から前記設定手段において設定された１部を差し引いた印刷部数とともに前記印刷装置で印刷すべく送出する第２送出手段と
を備えることを特徴とする印刷制御装置。
【請求項６】
前記判定手段により印刷指示が試し刷りの指示でないと判定された場合、前記印刷制御装置から前記印刷装置で印刷すべく送出する前記印刷データとともに前記あらかじめ設定された印刷部数を、前記記憶部から削除する削除手段をさらに備えることを特徴とする請求項５に記載の印刷制御装置。
【請求項７】
前記保存手段により保存された印刷データは前記印刷装置で印刷すべく送出する形式に変換される以前の中間データであり、前記印刷指示が試し刷りの指示と判定された場合には、前記第１送出手段により前記印刷データの送出後、前記保存保存工程により保存された前記印刷データに関して、印刷設定の変更を行う変更手段をさらに備えることを特徴とする請求項５に記載の印刷制御装置。
【請求項８】
前記印刷指示が試し刷りの指示の場合には、前記第１送出手段により前記印刷データの送出後、前記保存手段により保存された前記印刷データに関して前記印刷設定の変更を行うか否かの判定をする設定変更判定手段と、
前記設定変更判定手段において前記印刷設定の変更を行うと判定した場合、あらかじめ設定された印刷部数に戻す手段とをさらに備えることを特徴とする請求項５または７に記載の印刷制御装置。
【請求項９】
コンピュータを、印刷装置で解釈可能なプリンタ制御コマンドを生成するプリンタドライバが動作可能な印刷制御装置として機能させるためのプログラムを記録したコンピュータ可読記憶媒体であって、
印刷データを、あらかじめ設定された印刷部数とともに記憶部に保存する保存手段と、
印刷の指示が試し刷りの指示か否かを判定する判定手段と、
前記印刷の指示が試し刷りの指示であったと判定した場合、前記保存手段で保存された前記印刷データの印刷部数を１部に設定する設定手段と、
前記保存手段により保存された前記印刷データを、前記設定手段により設定された印刷部数とともに前記印刷装置で印刷すべく送出する第１送出手段と
して機能させるためのコンピュータプログラムを格納することを特徴とするコンピュータ可読の記憶媒体。
【請求項１０】
さらに、前記判定手段により印刷指示が試し刷りの指示でないと判定された場合、前記印刷制御装置から前記印刷装置で印刷すべく送出する前記印刷データとともに前記あらかじめ設定された印刷部数を、前記記憶部から削除する削除手段としてコンピュータを機能させるためのコンピュータプログラムを記憶することを特徴とする請求項９に記載の記憶媒体。
【請求項１１】
前記保存手段により保存された印刷データは前記印刷装置で印刷すべく送出する形式に変換される以前の中間データであり、前記印刷指示が試し刷りの指示と判定された場合には、前記第１送出手段により前記印刷データの送出後、前記保存保存工程により保存された前記印刷データに関して、印刷設定の変更を行う変更手段としてコンピュータをさらに機能させるためのコンピュータプログラムを記憶することを特徴とする請求項９に記載の記憶媒体。
【請求項１２】
さらに、前記印刷指示が試し刷りの指示の場合には、前記第１送出手段により前記印刷データの送出後、前記保存手段により保存された前記印刷データに関して前記印刷設定の変更を行うか否かの判定をする設定変更判定手段と、
前記設定変更判定手段において前記印刷設定の変更を行うと判定した場合、あらかじめ設定された印刷部数に戻す手段としてコンピュータをさらに機能させるためのコンピュータプログラムを記憶することを特徴とする請求項９または１１に記載の記憶媒体。
【手続補正２】
【補正対象書類名】明細書
【補正対象項目名】００１０
【補正方法】変更
【補正の内容】
【００１０】
【課題を解決するための手段】
上記目的を達成するために、本発明は次のような構成からなる。すなわち、印刷装置で解釈可能なプリンタ制御コマンドを生成するプリンタドライバが動作可能な印刷制御装置における印刷制御方法において、印刷データを、あらかじめ設定された印刷部数とともに記憶部に保存する保存工程と、印刷の指示が試し刷りの指示か否かを判定する判定工程と、前記印刷の指示が試し刷りの指示であったと判定した場合、前記保存工程で保存された前記印刷データの印刷部数を1部に設定する設定工程と、前記保存工程において保存された前記印刷データを、前記設定工程において設定された印刷部数とともに前記印刷装置で印刷すべく送出する第１送出工程と、前記第１送出工程により前記印刷データを送出後、本印刷時に前記保存工程において保存された前記印刷データを前記あらかじめ設定された印刷部数から前記設定工程において設定された１部を差し引いた印刷部数とともに前記印刷装置で印刷すべく送出する第２送出工程とを備える。
【手続補正３】
【補正対象書類名】明細書
【補正対象項目名】００１１
【補正方法】変更
【補正の内容】
【００１１】
さらに好ましくは、前記判定工程において印刷指示が試し刷りの指示でないと判定された場合、前記印刷制御装置から前記印刷装置で印刷すべく送出する前記印刷データとともに前記あらかじめ設定された印刷部数を、前記記憶部から削除する削除工程をさらに備える。
【手続補正４】
【補正対象書類名】明細書
【補正対象項目名】００１２
【補正方法】変更
【補正の内容】
【００１２】
さらに好ましくは、前記保存工程により保存された印刷データは前記印刷装置で印刷すべく送出する形式に変換される以前の中間データであり、前記印刷指示が試し刷りの指示と判定された場合には、前記第１送出工程により前記印刷データを送出後、前記保存工程において保存された前記印刷データに関して、印刷設定の変更を行う変更工程をさらに備える。
【手続補正５】
【補正対象書類名】明細書
【補正対象項目名】００１３
【補正方法】変更
【補正の内容】
【００１３】
さらに好ましくは、前記印刷指示が試し刷りの指示の場合には、前記第１送出工程により前記印刷データを送出後、前記保存工程において保存された前記印刷データに関して前記印刷設定の変更を行うか否かの判定をする設定変更判定工程と、前記設定変更判定工程において前記印刷設定の変更を行うと判定した場合、あらかじめ設定された印刷部数に戻す工程をさらに備える。
【手続補正６】
【補正対象書類名】明細書
【補正対象項目名】００１５
【補正方法】変更
【補正の内容】
【００１５】
【発明の実施の形態】
［第１の実施の形態］
以下、本発明の実施の形態について図面を参照して説明する。
【手続補正７】
【補正対象書類名】明細書
【補正対象項目名】００７９
【補正方法】変更
【補正の内容】
【００７９】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。